(57)【要約】  説明される技術は、包括的には、複数の制御チャネルリソースセット（ＣＯＲＥＳＥＴ）がＣＯＲＥＳＥＴグループに構成される無線通信システムに関する。ＣＯＲＥＳＥＴグループは、使用シナリオ／サービス品質要件に関連付けられ、ユーザー機器によって、使用シナリオに対応するダウンリンク制御情報を復号するのに用いることができる。例えば、或るＣＯＲＥＳＥＴグループは、ＵＲＬＬＣトラフィックのために用いることができ、別のものはｅＭＢＢタイプのために、別のものはｍＭＴＣトラフィックのために用いることができる。異なるＣＯＲＥＳＥＴグループを用いて、異なるアグリゲーションレベルセット、異なるＤＭＲＳパターン構成、異なる探索空間、異なる送信プロトコル／スキーム、異なるビーム管理及び復元手順、異なる無線リンクモニタリング及び無線リンク失敗手順等を提供することができる。異なるＣＯＲＥＳＥＴグループを異なる送信ポイントに関連付けることができる。【選択図】図７
2020530704.tif 000002
【特許請求の範囲】
【請求項１】
プロセッサと、
前記プロセッサによって実行されると、動作の実行を容易にする実行可能命令を記憶するメモリと、
を備え、前記動作は、
制御チャネルリソースセットの第１のグループを、第１の使用シナリオに関連付けることであって、前記制御チャネルリソースセットの第１のグループは、前記第１の使用シナリオに対応する第１のダウンリンク制御情報を復号するように構成されることと、
制御チャネルリソースセットの第２のグループを、第２の使用シナリオに関連付けることであって、前記制御チャネルリソースセットの第２のグループは、前記第２の使用シナリオに対応する第２のダウンリンク制御情報を復号するように構成されることと、
第１のダウンリンク制御情報を、前記制御チャネルリソースセットの第１のグループに対応する情報に関連したユーザー機器に送信することと、
を含む、無線ネットワークデバイス。
【請求項２】
前記第１の使用シナリオは、トラフィックの第１のタイプに対応し、前記第２の使用シナリオは、トラフィックの第２のタイプに対応する、請求項１に記載の無線ネットワークデバイス。
【請求項３】
前記第１の使用シナリオは、第１のサービス品質要件に対応し、前記第２の使用シナリオは、第２のサービス品質要件に対応する、請求項１に記載の無線ネットワークデバイス。
【請求項４】
前記第１の使用シナリオは、拡張モバイルブロードバンドプロトコルを遵守する第１のトラフィックに対応し、前記第２の使用シナリオは、超高信頼低遅延通信プロトコルを遵守する第２のトラフィックに対応する、請求項１に記載の無線ネットワークデバイス。
【請求項５】
前記第１の使用シナリオは、マッシブマシンタイプ通信プロトコルを遵守するトラフィックに対応する、請求項１に記載の無線ネットワークデバイス。
【請求項６】
前記動作は、制御チャネルリソースセットの第３のグループを、第３の無線使用シナリオに関連付けることを更に含み、前記制御チャネルリソースセットの第３のグループは、前記第３の使用シナリオに対応するダウンリンク制御情報を復号するように構成される、請求項１に記載の無線ネットワークデバイス。
【請求項７】
前記制御チャネルリソースセットの第１のグループは、前記制御チャネルリソースセットの第２のグループの第２のアグリゲーションレベルセットとは異なる第１のアグリゲーションレベルセットを含む、請求項１に記載の無線ネットワークデバイス。
【請求項８】
前記制御チャネルリソースセットの第１のグループは、前記制御チャネルリソースセットの第２のグループの第２の復調参照信号パターン構成とは異なる第１の復調参照信号パターン構成を含む、請求項１に記載の無線ネットワークデバイス。
【請求項９】
前記制御チャネルリソースセットの第１のグループは、第１の送信ポイントに対応し、前記制御チャネルリソースセットの第２のグループは、第２の送信ポイントに対応する、請求項１に記載の無線ネットワークデバイス。
【請求項１０】
前記制御チャネルリソースセットの第１のグループは、第１の探索空間に対応し、前記制御チャネルリソースセットの第２のグループは、第２の探索空間に対応する、請求項１に記載の無線ネットワークデバイス。
【請求項１１】
前記制御チャネルリソースセットの第１のグループは、前記制御チャネルリソースセットの第２のグループの第２の多入力多出力送信プロトコルとは異なる第１の多入力多出力送信プロトコルを用いるように対応する、請求項１に記載の無線ネットワークデバイス。
【請求項１２】
前記制御チャネルリソースセットの第１のグループは、前記制御チャネルリソースセットの第２のグループの第２のビーム管理及び復元手順とは異なる第１のビーム管理及び復元手順を含む、請求項１に記載の無線ネットワークデバイス。
【請求項１３】
前記制御チャネルリソースセットの第１のグループは、前記制御チャネルリソースセットの第２のグループの第２の送信スキームとは異なる第１の送信スキームを含む、請求項１に記載の無線ネットワークデバイス。
【請求項１４】
前記制御チャネルリソースセットの第１のグループは、前記制御チャネルリソースセットの第２のグループの第２の無線リンクモニタリング及び無線リンク失敗手順とは異なる第１の無線リンクモニタリング及び無線リンク失敗手順を含む、請求項１に記載の無線ネットワークデバイス。
【請求項１５】
プロセッサを備えるシステムによって、制御チャネルリソースセットの第１のグループを構成することであって、前記制御チャネルリソースセットの第１のグループは、データ通信トラフィックの第１のタイプに対応する第１のダウンリンク制御情報を復号するように構成されることと、
前記システムによって、前記制御チャネルリソースセットの第２のグループを構成することであって、前記制御チャネルリソースセットの第２のグループは、データ通信トラフィックの第２のタイプに対応する第２のダウンリンク制御情報を復号するように構成されることと、
前記システムによって、前記制御チャネルリソースセットの第１のグループに対応するデータをユーザー機器に送信することと、
前記システムによって、前記データ通信トラフィックの第１のタイプを用いた使用のために前記ユーザー機器に前記第１のダウンリンク制御情報を送信することと、
を含む、方法。
【請求項１６】
前記制御チャネルリソースセットの第１のグループに対応する前記データを送信することは、前記ユーザー機器に第１のグループ識別子を送信することを含む、請求項１５に記載の方法。
【請求項１７】
前記制御チャネルリソースセットの第１のグループを構成することは、前記データ通信トラフィックの第１のタイプに関連付けられたサービス品質要件を判断することを含む、請求項１５に記載の方法。
【請求項１８】
プロセッサによって実行されると、動作の実行を容易にする実行可能命令を含む機械可読記憶媒体であって、前記動作は、
データトラフィックの第１のタイプに関連付けられた第１のサービス品質要件を判断することと、
制御チャネルリソースセットの第１のグループ化を含む第１の制御チャネルリソースセットグループを構成することであって、該構成することは、前記第１のサービス品質要件を満たすリソース要素グループを選択することを含むことと、
データトラフィックの第２のタイプに関連付けられた第２のサービス品質要件を判断することと、
制御チャネルリソースセットの第２のグループ化を含む第２の制御チャネルリソースセットグループを構成することであって、該構成することは、前記第２のサービス品質要件を満たすリソース要素グループを選択することを含むことと、
前記データトラフィックの第１のタイプ又は前記データトラフィックの第２のタイプのいずれがユーザー機器に通信されるべきかに基づいて、前記第１の制御チャネルリソースセットグループ又は前記第２の制御チャネルリソースセットグループを用いるように前記ユーザー機器に命令することと、
を含む、機械可読記憶媒体。
【請求項１９】
前記動作は、データトラフィックの第３のタイプに関連付けられた第３のサービス品質要件を判断することと、制御チャネルリソースセットの第３のグループ化を含む第３の制御チャネルリソースセットグループを構成することとを更に含み、該構成することは、前記第３のサービス品質要件を満たすリソース要素グループを選択することを含む、請求項１８に記載の機械可読記憶媒体。
【請求項２０】
前記第１の制御チャネルリソースセットグループを構成することは、拡張モバイルブロードバンドサービス品質要件を満たすことに基づいており、前記第２の制御チャネルリソースセットグループを構成することは、超高信頼低遅延通信サービス品質要件を満たすことに基づいており、前記第３の制御チャネルリソースセットグループを構成することは、マッシブマシンタイプ通信サービス品質要件を満たすことに基づいている、請求項１９に記載の機械可読記憶媒体。
【発明の詳細な説明】
【技術分野】
【０００１】
［関連出願の相互参照］
本出願は、「CONFIGURABLE GROUPS OF CONTROL CHANNEL RESOURCE SETS FOR WIRELESS COMMUNICATION」と題する２０１７年８月１０日に出願の米国特許出願第１５／６７４，１１８号の優先権を主張し、その出願は引用することにより本明細書の一部をなす。
【背景技術】
【０００２】
無線通信システムにおいて、ユーザー機器がダウンリンク制御情報の復号を試みるリソース要素グループ（ＲＥＧ：resource element groups）のセットとして制御チャネルリソースセット（ＣＯＲＥＳＥＴ：control channel resource set）が定義される。現行の標準規格、及びＮｅｗ  Ｒａｄｉｏ（ＮＲ：新無線）アクセスネットワークとも称することができる第５世代（５Ｇ）アクセスネットワーク向けに開発されている標準規格は、制御チャネルリソースセットを定義している。ユーザー機器は、１つ以上の制御チャネルリソースセットを有することができる。
【０００３】
各制御チャネルリソースセットは、ユーザー機器が物理ダウンリンク制御チャネル（ＰＤＣＣＨ：Physical Downlink Control Channels）を発見することができる制御チャネル要素（ＣＣＥ：Control Channel Element）ロケーションのセットを示す探索空間に関連付けられる。探索空間は、ＰＤＣＣＨごとの送信のためにアグリゲートされた制御チャネル要素の数として定義された１つ以上のアグリゲーションレベル、及びアグリゲーションレベルごとの復号候補の数を含む。少なくとも１つの探索空間を含む時間／周波数リソースは、システム情報である管理情報ベース（ＭＩＢ：management information base）から得られるか、又は初期アクセス情報から暗黙的に導出される。追加の探索空間を含む時間／周波数リソースは、専用の無線リソース制御（ＲＲＣ：Radio Resource Control）シグナリングを用いて構成することができる。
【０００４】
ＮＲネットワークにおける探索空間は、単一の制御チャネルリソースセットに関連付けられる。異なる制御リソースセットにおける探索空間は、独立して定義される。
【０００５】
本明細書において説明される技術は、例示として示されるものであり、添付図面に限定されない。図面において、同様の参照符号は、類似した要素を示している。
【図面の簡単な説明】
【０００６】
【図１】ネットワークノードデバイス（例えば、ネットワークノード）及びユーザー機器（ＵＥ）が本開示の種々の態様及び実施態様を実施することができる一例示の無線通信システムを示す図である。
【図２】本開示の種々の態様及び実施態様による、一例示の制御チャネルリソースセット（ＣＯＲＥＳＥＴ）グループを示す図である。
【図３】本開示の種々の態様及び実施態様による、複数のＣＯＲＥＳＥＴからなるＣＯＲＥＳＥＴグループを使用シナリオに関連付ける一例を示す図である。
【図４】本開示の種々の態様及び実施態様による、或る使用シナリオの場合にＣＯＲＥＳＥＴグループを構成する一例を示す図である。
【図５】本開示の種々の態様及び実施態様による、ＣＯＲＥＳＥＴグループを送信ポイントに関連付ける一例を示す図である。
【図６】本開示の種々の態様及び実施態様による、ＣＯＲＥＳＥＴグループを構成し、使用シナリオに関連付ける動作の一例のフロー図である。
【図７】本開示の種々の態様及び実施態様による、或るユーザー機器が用いるべきＣＯＲＥＳＥＴグループを判断し、対応する情報をそのユーザー機器に送信する動作の一例のフロー図である。
【図８】本開示の種々の態様及び実施態様による、或る送信ポイントについてＣＯＲＥＳＥＴグループを判断し、対応する情報をユーザー機器に送信する動作の一例示のフロー図である。
【図９】本明細書において説明される１つ以上の実施形態による、無線通信を容易にするシステムアーキテクチャにおいて関与するように動作可能な一例示のモバイルハンドセットの一例示のブロック図である。
【図１０】本明細書において説明される１つ以上の実施形態による、無線通信を容易にするシステムアーキテクチャにおいて関与するように動作可能な一例示のコンピューターの一例示のブロック図である。
【発明を実施するための形態】
【０００７】
簡潔に述べると、本明細書において説明される技術の１つ以上の態様は、包括的には、制御チャネルリソースセット（ＣＯＲＥＳＥＴ）のグループの概念に関し、これらのグループの各々は、或る使用シナリオに関連付けることができる。例えば、制御チャネルリソースセットの或るグループは、送信ポイント（ＴＲＰ）ごと、又はサービス品質要件ごとに関連付けることができる。
【０００８】
例示として、異なるタイプのネットワークデータトラフィックが異なるサービス品質要件を有することを検討する。より詳細には、超高信頼低遅延通信（ＵＲＬＬＣ：Ultra Reliable and Low Latency Communications）トラフィックは、満たす必要がある厳格なレイテンシー（アップリンク及びダウンリンクについてユーザープレーン上で０．５ｍｓ）及び信頼度要件を有し、一方で、拡張モバイルブロードバンド（ｅＭＢＢ：enhanced Mobile Broadband）トラフィックは、比較的緩和されたレイテンシー及び信頼度要件を有する。異なる要件を有する別の使用シナリオは、マッシブマシンタイプ通信（ｍＭＴＣ：massive Machine Type Communications）であることに留意されたい。
【０００９】
それゆえ、使用シナリオのファミリーの各々は、搬送波周波数、アグリゲートされるシステム帯域幅、ユーザー機器分布、サービスプロファイル等を含む種々の展開シナリオを有する。本明細書において説明される１つ以上の態様において、異なる使用シナリオの場合のサービス品質要件のこれらの違いは、制御チャネルリソースセットの各グループが異なるタイプのトラフィックに対応するような異なる制御リソースセットグループの定義につながる。理解されるように、本明細書において説明される態様は、使用シナリオに応じた制御チャネルリソースの構成に関する。そのために、本明細書において説明される技術は、定義がトラフィックのタイプに応じた構成可能ＣＯＲＥＳＥＴ特性をサポートするような制御チャネルリソースセットの定義を可能にする。
【００１０】
ＣＯＲＥＳＥＴグループは、送信ポイント（ＴＲＰ）ごと、又はサービス品質要件ごとに関連付けることができる、複数の制御チャネルリソースセットとして定義することができ、すなわち、ＣＯＲＥＳＥＴグループは、特定の使用シナリオに対応するダウンリンク制御情報を復号するように構成された複数の制御チャネルリソースセットからなるグループを含む。このようなＣＯＲＥＳＥＴのグループ化は、ＮＲの種々のアプリケーションとともに機能して、種々のトラフィック需要にサービスを提供するとともに、種々のサービス品質レベルに対応する制御プレーン手順とユーザープレーン手順とを区別化する。ＣＯＲＥＳＥＴの構成可能グループ化は、このように、対応するダウンリンク制御情報によってサービングされるトラフィックのサービス品質要件に基づいて定義することができる。上記の例において、ＣＯＲＥＳＥＴグループは、レイテンシー及び信頼度要件が厳格であるＵＲＬＬＣトラフィックに対応することもできるし、レイテンシー及び信頼度要件はより緩和されるが、必要とされるデータレートは高くなるｅＭＢＢタイプトラフィックに対応することもできる。
【００１１】
１つの態様では、ＣＯＲＥＳＥＴグループごとに異なる探索空間を定義することができ、ＣＯＲＥＳＥＴグループごとの制御チャネルリソースセットのための探索空間を含む時間／周波数リソースは、各ＣＯＲＥＳＥＴグループに対応する使用シナリオのサービス品質要件に従って異なるように構成されるようになっている。
【００１２】
別の態様では、異なる復調参照信号（ＤＭＲＳ：demodulation reference signals）構成パターンセットを、ＣＯＲＥＳＥＴグループに応じて用いることができる。例えば、ＮＲにおけるデータ復調のために定義された異なるＤＭＲＳ構成パターンがある。これらの構成のうちの少なくとも１つは、前方ＤＭＲＳパターン（front-loaded DMRS pattern）をサポートし、この前方ＤＭＲＳパターンにおいて、前方ＤＭＲＳが、１つ又は２つの隣接したＯＦＤＭシンボル上にマッピングされる。スロットの後半部分のために追加のＤＭＲＳパターンを構成することができる。より詳細な例として、４つの可能なＤＭＲＳパターン構成からなるセットがあるものとすると、各ＣＯＲＥＳＥＴグループは、このセットの中の構成のサブセットを用いて構成することができる。１つのＤＭＲＳ構成をＣＯＲＥＳＥＴグループ１のために定義することができ、その一方で、３つの候補構成から選び出すために、これらの３つの候補構成をＣＯＲＥＳＥＴグループ２のために定義することができる。これは、ポートの数、ＭＩＭＯスキームのためのレイヤの数、及び使用シナリオごとの所望の性能に依存する。
【００１３】
ＣＯＲＥＳＥＴグループ化の別の態様では、ＣＯＲＥＳＥＴは、送信ポイント（ＴＲＰ）ごとにＣＯＲＥＳＥＴグループが形成されるようにグループ化することができ、送信ポイントの各々は、１つ以上のサービス品質要件に対応する１つ以上の使用シナリオにサービスを提供することができる。
【００１４】
一般に、ネットワークデバイスは、ＣＯＲＥＳＥＴグループにグループ化された１つ以上の制御チャネルリソースセットにおいてダウンリンク制御情報をユーザー機器に通信する。ネットワークは、グループ情報を、ユーザー機器に明示的に通信する場合もあるし、通信しない場合もある。１つ以上の実施態様において、ユーザー機器は、その場合、ＣＯＲＥＳＥＴグループを用いて、特定の使用シナリオに対応するダウンリンク制御情報を復号することで、例えば、上記で説明されたように、サービス品質要件を満たす。
【００１５】
簡潔にするために、「ネットワークデバイス」、「無線ネットワークノード」又は「ネットワークノード」という非限定的な用語は、本明細書において、ユーザー機器にサービングし、及び／又は、他のネットワークノード（複数の場合もある）若しくはネットワーク要素（複数の場合もある）に接続される任意のタイプのネットワークノード、又はユーザー機器が信号を受信する送信元である任意の無線ノードに向けて用いることができる。無線ネットワークノードの非限定的な例は、Ｎｏｄｅ  Ｂ、基地局（ＢＳ）、マルチスタンダード無線（ＭＳＲ）ノード、例えば、ＭＳＲ  ＢＳ、ｇＮＢ、ｅＮｏｄｅＢ、ネットワークコントローラー、無線ネットワークコントローラー（ＲＮＣ）、基地局コントローラー（ＢＳＣ）、中継器、ドナーノード制御中継器、ベース送受信機局（ＢＴＳ：base transceiver station）、アクセスポイント（ＡＰ）、送信ポイント、送信ノード、ＲＲＵ、ＲＲＨ、分散アンテナシステム（ＤＡＳ：distributed antenna system）におけるノード等である。
【００１６】
受信側でも同様に、「ユーザー機器」（又は「ＵＥ」）という非限定的な用語が、本明細書において用いられる。この用語は、セルラー通信システム又はモバイル通信システムにおいて無線ネットワークノードと通信する任意のタイプの無線デバイスを指す。ＵＥの非限定的な例は、ターゲットデバイス、デバイスツーデバイス（Ｄ２Ｄ）ＵＥ、マシンタイプＵＥすなわちマシンツーマシン（Ｍ２Ｍ）通信が可能なＵＥ、ＰＤＡ、タブレット、モバイル端末、スマートフォン、 ラップトップ組み込み型機器（ＬＥＥ：laptop embedded equipped）、ラップトップ搭載型機器（ＬＭＥ：laptop mounted equipment）、モバイル通信対応ＵＳＢドングル、モバイル機能を有するコンピューター、モバイルデバイス、例えば携帯電話、ラップトップ組み込み型機器（ＬＥＥ、例えばモバイルブロードバンドアダプター）を有するラップトップ、モバイルブロードバンドアダプターを有するタブレットコンピューター、ウェアラブルデバイス、仮想現実（ＶＲ）デバイス、ヘッドアップディスプレイ（ＨＵＤ）デバイス、スマートカー、マシンタイプ通信（ＭＴＣ）デバイス等を含む。ユーザー機器ＵＥ１０２は、無線通信するＩＯＴデバイス等も含むことができる。
【００１７】
本明細書において用いられる例及び用語のいずれも非限定的なものであることを理解すべきである。例えば、それらの例は、スマートフォン等として例示化されるユーザー機器とネットワークデバイスとの間のＮｅｗ  Ｒａｄｉｏ（ＮＲ、５Ｇと称されることもある）通信に基づいているが、一方で、実質的に任意の通信デバイスが、本明細書において説明される技術から利益を得ることができ、及び／又は異なるスペクトルにおけるそれらの使用が、同様に利益を得ることができる。それゆえ、本明細書において説明される実施形態、態様、概念、構造、機能又は例のいずれも非限定的なものであり、その技術は、無線通信全般において利益及び利点を提供する種々の方法において用いることができる。
【００１８】
図１は、本技術の種々の態様及び実施形態による一例示の無線通信システム１００を示している。１つ以上の実施形態において、システム１００は、１つ以上のユーザー機器ＵＥ１０２（１）〜１０２（ｎ）を備えることができる。
【００１９】
種々の実施形態において、システム１００は、１つ以上の無線通信ネットワークプロバイダーによってサービングされる無線通信ネットワークであるか、又はこの無線通信ネットワークを含む。例示の実施形態において、ＵＥ１０２は、ネットワークノード１０４を介して無線通信ネットワークに通信可能に結合することができる。ネットワークノード（例えば、ネットワークノードデバイス）は、ユーザー機器（ＵＥ）と通信することができ、それゆえ、ＵＥとより広範なセルラーネットワークとの間の接続性が提供される。
【００２０】
例示の実施態様において、ＵＥ１０２（１）等の各ＵＥは、ネットワークノード１０４に対して無線リンクを介して通信データを送信及び／又は受信することが可能である。ネットワークノード１０４からＵＥ１０２への破線矢印線は、ダウンリンク（ＤＬ）通信を表し、ＵＥ１０２からネットワークノード１０４への実線矢印線は、アップリンク（ＵＬ）通信を表す。
【００２１】
システム１００は、ネットワークノード１０４を介して、ＵＥ１０２（１）〜１０２（ｎ）を含む種々のＵＥに無線通信サービスを提供することを容易にする１つ以上の通信サービスプロバイダーネットワーク１０６、及び／又は、１つ以上の通信サービスプロバイダーネットワーク１０６内に含まれる種々の更なるネットワークデバイス（図示せず）を更に含み得る。１つ以上の通信サービスプロバイダーネットワーク１０６は、セルラーネットワーク、フェムトネットワーク、ピコセルネットワーク、マイクロセルネットワーク、インターネットプロトコル（ＩＰ：internet protocol）ネットワーク、Ｗｉ−Ｆｉサービスネットワーク、ブロードバンドサービスネットワーク、エンタープライズネットワーク、クラウドベースネットワーク等を含むがそれに限定されない、種々の型の異種ネットワークを含み得る。例えば、少なくとも１つの実施態様において、システム１００は、種々の地理的エリアに及ぶ大規模無線通信ネットワークであり得るか又は大規模無線通信ネットワークを備え得る。この実施態様によれば、１つ以上の通信サービスプロバイダーネットワーク１０６は、無線通信ネットワーク及び／又は無線通信ネットワークの種々の更なるデバイス及び構成要素（例えば、更なるネットワークデバイス及びセル、更なるＵＥ、ネットワークサーバーデバイス等）であり得るか又はそれらを備え得る。
【００２２】
ネットワークノード１０４は、１つ以上のバックホールリンク１０８を介して１つ以上の通信サービスプロバイダーネットワーク１０６に接続され得る。例えば、１つ以上のバックホールリンク１０８は、Ｔ１／Ｅ１電話線、デジタル加入者線（ＤＳＬ：digital subscriber line）（例えば、同期又は非同期）、非対称ＤＳＬ（ＡＤＳＬ）、光ファイバーバックボーン、同軸ケーブル等の有線リンク構成要素を含み得る。１つ以上のバックホールリンク１０８は、限定はしないが、地上エアインターフェース又はディープスペースリンク（deep space links）（例えば、ナビゲーション用の衛星通信リンク）を含み得る見通し線（ＬＯＳ：line-of-sight）又は非ＬＯＳリンク等の無線リンク構成要素も含み得る。
【００２３】
無線通信システム１００は、種々のセルラーシステム、技術及び変調スキームを使用して、デバイス（例えば、ＵＥ１０２及びネットワークノード１０４）間の無線通信を容易にし得る。例示の実施形態は、５Ｇ  Ｎｅｗ  Ｒａｄｉｏ（ＮＲ）システム向けに説明されている場合があるものの、実施形態は、任意の無線アクセス技術（ＲＡＴ）又はＵＥが複数の搬送波を用いて動作するマルチＲＡＴシステム、例えば、ＬＴＥ  ＦＤＤ／ＴＤＤ、ＧＳＭ／ＧＥＲＡＮ、ＣＤＭＡ２０００等に適用可能であるものとすることができる。例えば、システム１００は、モバイル通信用グローバルシステム（ＧＳＭ）、ユニバーサルモバイル電気通信サービス（ＵＭＴＳ）、ロングタームエボリューション（ＬＴＥ）、ＬＴＥ周波数分割複信（ＬＴＥ  ＦＤＤ）、ＬＴＥ時分割複信（ＴＤＤ）、高速パケットアクセス（ＨＳＰＡ：high speed packet access）、符号分割多重アクセス（ＣＤＭＡ：code division multiple access）、ワイドバンドＣＤＭＡ（ＷＣＭＤＡ）、ＣＤＭＡ２０００、時分割多重アクセス（ＴＤＭＡ：time division multiple access）、周波数分割多重アクセス（ＦＤＭＡ：frequency division multiple access）、マルチキャリア符号分割多重アクセス（ＭＣ−ＣＤＭＡ：multi-carrier code division multiple access）、シングルキャリア符号分割多重アクセス（ＳＣ−ＣＤＭＡ：single-carrier code division multiple access）、シングルキャリアＦＤＭＡ（ＳＣ−ＦＤＭＡ：single-carrier FDMA）、直交周波数分割多重（ＯＦＤＭ：orthogonal frequency division multiplexing）、離散フーリエ変換拡散ＯＦＤＭ（ＤＦＴ拡散ＯＦＤＭ：discrete Fourier transform spread OFDM）、シングルキャリアＦＤＭＡ（ＳＣ−ＦＤＭＡ：single carrier FDMA）、フィルターバンクベースマルチキャリア（ＦＢＭＣ：Filter bank based multi-carrier）、ゼロテイルＤＦＴ拡散ＯＦＤＭ（ＺＴ  ＤＦＴ−ｓ−ＯＦＤＭ：zero tail DFT-spread-OFDM）、汎用周波数分割多重（ＧＦＤＭ：generalized frequency division multiplexing）、フィックスドモバイルコンバージェンス（ＦＭＣ：fixed mobile convergence）、ユニバーサルフィックスドモバイルコンバージェンス（ＵＦＭＣ：universal fixed mobile convergence）、ユニークワードＯＦＤＭ（ＵＷ−ＯＦＤＭ：unique word OFDM）、ユニークワードＤＦＴ拡散ＯＦＤＭ（ＵＷ  ＤＦＴ拡散ＯＦＤＭ：unique word DFT-spread-OFDM）、サイクリックプレフィックスＯＦＤＭ（ＣＰ−ＯＦＤＭ）、リソースブロックフィルタード（resource-block-filtered）ＯＦＤＭ、Ｗｉ  Ｆｉ、ＷＬＡＮ、ＷｉＭａｘ等に従って動作することができる。しかしながら、システム１００の種々の特徴及び機能が特に説明され、ここで、システム１００のデバイス（例えば、ＵＥ１０２及びネットワークデバイス１０４）は、データシンボルを、複数の周波数サブキャリアを通じて同時に送信することができる１つ以上のマルチキャリア変調スキーム（例えば、ＯＦＤＭ、ＣＰ−ＯＦＤＭ、ＤＦＴ拡散ＯＦＭＤ、ＵＦＭＣ、ＦＭＢＣ等）を用いて無線信号を通信するように構成される。実施形態は、ＵＥのシングルキャリア及びマルチキャリア（ＭＣ）又はキャリアアグリゲーション（ＣＡ）動作に適用可能である。キャリアアグリゲーション（ＣＡ）という用語は、「マルチキャリアシステム」、「マルチセル動作」、「マルチキャリア動作」、「マルチキャリア」送信及び／又は受信とも呼ばれる（例えば、同義で呼ばれる）。いくつかの実施形態は、いくつかの搬送波上のマルチＲＡＢ（無線ベアラ）にも適用可能である（すなわち、データ＋音声が同時にスケジューリングされる）ことに留意されたい。
【００２４】
種々の実施形態において、システム１００は、５Ｇ無線ネットワーク接続特徴及び機能を提供及び利用するように構成することができる。帯域幅をいくつかのサブバンドに分割する波形を用いることができる５Ｇネットワークを用いて、最適な波形及びヌメロロジーを有する異なるサブバンドにおいて異なるタイプのサービスを適応させることができ、これにより、５Ｇネットワークのためのスペクトル利用が改善される。それにもかかわらず、ｍｍ波（mmWave）スペクトルにおいて、ミリメートル波は、他の通信波と比較して短い波長を有し、したがって、ｍｍ波信号は、深刻なパスロス、侵入損失、及びフェージングを被る可能性がある。一方で、ｍｍ波周波数における相対的に短い波長により、同じ物理的寸法により多くのアンテナを収容させることが可能になり、これにより、大規模な空間多重化及び高度に指向性のビームフォーミングが可能になる。
【００２５】
送信機及び受信機の双方に複数のアンテナが搭載される場合、性能を改善することができる。マルチアンテナ技術は、無線通信システムのデータレート及び信頼度を大幅に高めることができる。第３世代パートナーシッププロジェクト（３ＧＰＰ）において導入され、（ＬＴＥとともに含めて）使用されている多入力多出力（ＭＩＭＯ）技術の使用は、送信のスペクトル効率を改善することができ、したがって、無線システムの全体のデータ搬送容量を大幅に高めるマルチアンテナ技術である。多入力多出力（ＭＩＭＯ）技術の使用は、ｍｍ波通信を改善することができ、ＭＩＭＯは、ダイバーシティ利得、空間多重化利得及びビームフォーミング利得を達成するために用いることができる。
【００２６】
マルチアンテナを使用することは、ＭＩＭＯが用いられているということを常に意味するわけではないことに留意されたい。例えば、或る構成は、２つのダウンリンクアンテナを有することができ、これらの２つのアンテナは、種々の方法において用いることができる。２×２ＭＩＭＯスキームにおいてアンテナを用いることに加えて、これらの２つのアンテナは、ＭＩＭＯ構成ではなくダイバーシティ構成において用いることもできる。複数のアンテナを有する場合であっても、特定のスキームは、複数のアンテナのうちの１つのみを用いることもある（例えば、ＬＴＥ仕様の送信モード１。これは、単一の送信アンテナ及び単一の受信アンテナを用いる）。或いは、種々の異なる多重化、プリコーディング方法等で、１つのアンテナのみを用いることができる。
【００２７】
ＭＩＭＯ技術は、送信システムの一方の終端上の送信アンテナの数（Ｍ）及び受信アンテナの数（Ｎ）の観点でＭＩＭＯ構成を表すのに、一般に知られている表記（Ｍ×Ｎ）を用いる。種々の技術のために用いられる共通のＭＩＭＯ構成は、（２×１）、（１×２）、（２×２）、（４×２）、（８×２）及び（２×４）、（４×４）、（８×４）である。（２×１）及び（１×２）によって表される構成は、送信ダイバーシティ（又は空間ダイバーシティ）及び受信ダイバーシティとして知られるＭＩＭＯの特別な事例である。送信ダイバーシティ（又は空間ダイバーシティ）及び受信ダイバーシティに加えて、他の技術、例えば空間多重化（開ループ及び閉ループの双方を含む）、ビームフォーミング、及びコードブックベースプリコーディングも用いて、効率性、干渉及びレンジ等の問題に対処することができる。
【００２８】
図１では、本明細書において説明されるように、ネットワークノードは、ユーザー機器（例えば、１０２（１））に、制御情報を復号する際に用いるためのＣＯＲＥＳＥＴグループデータ１１０を提供するように構成される。理解されるように、ネットワークノードは、ユーザーシナリオ、例えば通信するべきデータトラフィックのタイプを認識するか又は他の方法で評価して、送信するべきＣＯＲＥＳＥＴグループデータ１１０を判断する。例えば、使用シナリオが超高信頼低遅延通信（ＵＲＬＬＣ）トラフィックに対応する場合、ＣＯＲＥＳＥＴグループは、ＵＲＬＬＣサービス品質要件のために適切である種々のリソース要素グループを有するＣＯＲＥＳＥＴによって選択される。
【００２９】
より詳細な一例として、異なるアグリゲーションレベルセットは、異なるＣＯＲＥＳＥＴグループに対応することができ、ここで、アグリゲーションレベルは、物理ダウンリンク制御チャネル（ＰＤＣＣＨ）ごとの送信のためにアグリゲートされる制御チャネル要素（ＣＣＥ）の数として定義される。アグリゲーションレベルが高くなるほど、ユーザー機器は、より多くのＣＣＥ、ひいてはより多くのビットを占有し、よりロバストな符号化を用いるので、ダウンリンク制御チャネルを復号する尤度が高くなる。異なるアグリゲーションレベルを有する異なるＣＯＲＥＳＥＴグループを用いて、例えば、ＵＲＬＬＣ制御情報を搬送するチャネルは、拡張モバイルブロードバンド（ｅＭＢＢ）データを搬送するチャネルとは異なる（より高い）アグリゲーションレベルセットを有して定義することができる。
【００３０】
図２において表されるように、ＣＯＲＥＳＥＴ２２４は、リソース要素グループ（ＲＥＧＳ）から構成され、リソース要素グループは、ひいては、リソース要素（個々には図示せず）から構成される。ＣＯＲＥＳＥＴ２２２において表されるように、リソース要素グループは、ＰＤＣＣＨ候補を表すことができ、ＰＤＣＣＨ候補は、例えば、第１のＯＦＤＭ（直交周波数分割多重）シンボル、第２のＯＦＤＭシンボル、又は拡散ＯＦＤＭシンボルにおいて存在することができる。ＣＯＲＥＳＥＴグループ２２６は、２つ以上のＣＯＲＥＳＥＴ、例えば、図２におけるＣＯＲＥＳＥＴ２２２及び２２４、の情報を組み合わせる。
【００３１】
１つ以上の実施態様において、ネットワークデバイスは、制御情報を復号する際に用いるべきＣＯＲＥＳＥＴグループをユーザー機器に送信することができる。１つの代替的な実施態様では、ユーザーは、ＣＯＲＥＳＥＴグループ情報を暗黙的に推測することができる。別の代替的な実施態様では、ユーザー機器は、ＣＯＲＥＳＥＴグループ内の１つのＣＯＲＥＳＥＴに対応するダウンリンク制御情報をブラインド復号することができる。１つの代替的な実施態様では、ユーザー機器は、複数のＣＯＲＥＳＥＴのうちのいずれがグループとして用いられるのかのインジケーション（例えば、識別子のセット）とともに、ユーザー機器に送信されるＣＯＲＥＳＥＴの数を有することができる。図３は、異なる使用シナリオ３３０（１）〜３３０（ｎ）を、異なるＣＯＲＥＳＥＴグループ３３２（Ａ）〜３３２（ｍ）にマッピングすることができる方法を示している。ＣＯＲＥＳＥＴグループは、図示するように個々のＣＯＲＥＳＥＴ３３６（ａａａ）〜３３６（ｚｚｚ）の利用可能なセット３３４から構成される（しかし、所与の実施態様において任意の実用的な数のＣＯＲＥＳＥＴが存在することができることが理解される）。
【００３２】
図４において表されるように、構成可能ＣＯＲＥＳＥＴグループ（例えば、３３２（１））の構成は、所与の使用シナリオ３３０（１）の需要を満たすように、例えば、サービス品質要件を満たすように、ユーザー４４４によって手動で実行（例えば、ＣＯＲＥＳＥＴを構成及び／又は選択）することができる。手動構成の代わりに、又は手動構成に加えて、アプリケーションプログラム４４６等を用いることができ、例えば、サービス品質要件を満たすＣＯＲＥＳＥＴ／ＣＯＲＥＳＥＴグループ化を出力するプログラムに、パラメーターとしてサービス品質要件（例えば、レイテンシー、信頼度、データレート等）を入力する。
【００３３】
図５の例において一般的に表されるように、異なる送信ポイントを、異なるＣＯＲＥＳＥＴグループに関連付けることができる。例えば、１つの送信ポイント５５０（１）を、ＵＲＬＬＣデータに通信するのに専用とすることができ、ひいては、ＣＯＲＥＳＥＴグループ５５２（１）に関連付けることができ、その一方で、他の送信ポイント５５０（２）及び５５０（３）を、同じＣＯＲＥＳＥＴグループ５５２（２）に関連付けることができ、その一方で、更に別の送信ポイント５５０（ｊ）を、更に別のＣＯＲＥＳＥＴグループ５５２（ｋ）に関連付けることができる。理解されるように、ＣＯＲＥＳＥＴグループは、所与の実施態様のために適宜種々のリソースに柔軟に関連付けることができる。
【００３４】
複数のステップとして例示化された図６の例示の動作において一般的に表されるように、ステップ６０２は、ＣＯＲＥＳＥＴグループが望まれる使用シナリオを選択することを表している。使用シナリオに基づいて、ステップ６０４は、ユーザー及び／又はプログラムがＣＯＲＥＳＥＴグループを構成し、選択された使用シナリオに関連付けることを表している。容易に理解することができるように、ＣＯＲＥＳＥＴグループは、既存のＣＯＲＥＳＥＴ（複数の場合もある）、新たに構成されたＣＯＲＥＳＥＴ、又は既存のＣＯＲＥＳＥＴ（複数の場合もある）及び新たに構成されたＣＯＲＥＳＥＴ（複数の場合もある）の組み合わせから構築することができる。
【００３５】
ステップ６０６及び６０８は、ＣＯＲＥＳＥＴグループが望まれる他の使用シナリオごとにプロセスを繰り返す。新たな使用シナリオ／異なる特性が確立されるときはいつでも、新たなＣＯＲＥＳＥＴグループを構成し、新たな使用シナリオに関連付けることができることに留意されたい。
【００３６】
図７の例示の動作において、ステップ７０２では、送信するべきデータに基づいて使用シナリオが判断される。例えば、ネットワークデバイスは、送信するべきデータのソース、又は送信するべきデータのタイプから、そのデータに対応する使用シナリオを認識することができる。データのソースが、使用シナリオを（例えば識別子を介して）示すことも考えられ得る。
【００３７】
ステップ７０４は、ステップ７０２において判断された使用シナリオに基づいてＣＯＲＥＳＥＴグループを選択することを表している。ステップ７０６は、ＣＯＲＥＳＥＴグループ情報をユーザー機器に送信することを表している。ステップ７０８は、ダウンリンク制御情報をユーザー機器に送信することを表しており、ユーザー機器は、このダウンリンク制御情報を、ステップ７０６において送信されたＣＯＲＥＳＥＴグループ情報に基づいて復号することができる。
【００３８】
複数のステップとして例示化された図８の例示の動作において一般的に表されるように、ステップ８０２は、送信するべきデータに対応する使用シナリオを判断することを表している。ステップ８０４は、ステップ８０２において判断された使用シナリオを介して、データを送信する送信ポイントを選択する。
【００３９】
ステップ８０６は、使用シナリオのためのＣＯＲＥＳＥＴグループを選択する。ステップ８０８は、ＣＯＲＥＳＥＴグループ情報をユーザー機器に送信することを表している。ステップ８１０は、ダウンリンク制御情報をユーザー機器に送信することを表しており、ユーザー機器は、このダウンリンク制御情報を、ステップ８０８において送信されたＣＯＲＥＳＥＴグループ情報に基づいて復号することができる。それゆえ、ユーザー機器は、送信ポイントを介して適切にデータを送受信することが可能である。
【００４０】
見て取ることができるように、使用シナリオ及びサービス品質要件に基づいた制御チャネルリソースセットのグループ化により、種々のタイプの想定されるトラフィックについての性能要件を満たすことにおいて多大な柔軟性が可能になる。グループ化技術により、いくつかの手順及びメカニズムを種々のタイプの使用シナリオに対応して実施することが可能になり、信頼度及びレイテンシーが性能メトリックである場合に改善された性能がもたらされる。このグループ化から利益を得る手順及びメカニズムは、限定するものではないが、種々のＭＩＭＯ送信スキーム、ビーム管理及び復元手順、無線リソース管理、無線リンクモニタリング／無線リンク失敗手順を含む。これは、次世代無線ネットワークの種々の使用シナリオのサービス品質要件に基づいたＣＯＲＥＳＥＴグループ化設計を介して促進することができる。
【００４１】
１つ以上の態様は、制御チャネルリソースセットの第１のグループを、第１の使用シナリオに関連付けることであって、制御チャネルリソースセットの第１のグループは、第１の使用シナリオに対応するダウンリンク制御情報を復号するように構成されることと、制御チャネルリソースセットの第２のグループを、第２の無線使用シナリオに関連付けることであって、制御チャネルリソースセットの第２のグループは、第２の使用シナリオに対応するダウンリンク制御情報を復号するように構成されることとに関する。態様は、ダウンリンク制御情報を、制御チャネルリソースセットの第１のグループに対応する情報に関連したユーザー機器に送信することを含む。
【００４２】
第１の使用シナリオは、トラフィックの第１のタイプに対応することができ、第２の使用シナリオは、トラフィックの第２のタイプに対応することができる。第１の使用シナリオは、第１のサービス品質要件に対応することができ、第２の使用シナリオは、第２のサービス品質要件に対応することができる。第１の使用は、拡張モバイルブロードバンドプロトコルを遵守する第１のトラフィックに対応することができ、第２の使用シナリオは、超高信頼低遅延通信プロトコルを遵守する第２のトラフィックに対応することができる。第１の使用シナリオは、マッシブマシンタイプ通信プロトコルを遵守するトラフィックに対応することができる。
【００４３】
態様は、制御チャネルリソースセットの第３のグループを、第３の無線使用シナリオに関連付けることを含むことができ、制御チャネルリソースセットの第３のグループは、第３の使用シナリオに対応するダウンリンク制御情報を復号するように構成される。
【００４４】
制御チャネルリソースセットの第１のグループは、制御チャネルリソースセットの第２のグループの第２のアグリゲーションレベルセットとは異なる第１のアグリゲーションレベルセットを含むことができる。
【００４５】
制御チャネルリソースセットの第１のグループは、制御チャネルリソースセットの第２のグループの第２の復調参照信号パターン構成とは異なる第１の復調参照信号パターン構成を含むことができる。制御チャネルリソースセットの第１のグループは、第１の送信ポイントに対応することができ、制御チャネルリソースセットの第２のグループは、第２の送信ポイントに対応することができる。
【００４６】
制御チャネルリソースセットの第１のグループは、第１の探索空間に対応することができ、制御チャネルリソースセットの第２のグループは、第２の探索空間に対応することができる。制御チャネルリソースセットの第１のグループは、制御チャネルリソースセットの第２のグループの第２の多入力多出力送信プロトコルとは異なる第１の多入力多出力送信プロトコルを用いるように対応することができる。
【００４７】
制御チャネルリソースセットの第１のグループは、制御チャネルリソースセットの第２のグループの第２のビーム管理及び復元手順とは異なる第１のビーム管理及び復元手順を含むことができる。制御チャネルリソースセットの第１のグループは、制御チャネルリソースセットの第２のグループの第２の送信スキームとは異なる第１の送信スキームを含むことができる。制御チャネルリソースセットの第１のグループは、制御チャネルリソースセットの第２のグループの第２の無線リンクモニタリング及び無線リンク失敗手順とは異なる第１の無線リンクモニタリング及び無線リンク失敗手順を含むことができる。
【００４８】
１つ以上の態様は、プロセッサを備えるシステムによって、制御チャネルリソースセットの第１のグループを構成することに関し、ここで、制御チャネルリソースセットの第１のグループは、データ通信トラフィックの第１のタイプに対応する第１のダウンリンク制御情報を復号するように構成される。態様は、システムによって、制御チャネルリソースセットの第２のグループを構成することを含み、ここで、制御チャネルリソースセットの第２のグループは、データ通信トラフィックの第２のタイプに対応する第２のダウンリンク制御情報を復号するように構成される。他の態様は、システムによって、制御チャネルリソースセットの第１のグループに対応するデータをユーザー機器に送信することと、システムによって、データ通信トラフィックの第１のタイプを用いた使用のためにユーザー機器に第１のダウンリンク制御情報を送信することとを含む。
【００４９】
制御チャネルリソースセットの第１のグループに対応するデータを送信することは、ユーザー機器に第１のグループ識別子を送信することを含むことができる。制御チャネルリソースセットの第１のグループを構成することは、データ通信トラフィックの第１のタイプに関連付けられたサービス品質要件を判断することを含むことができる。
【００５０】
１つ以上の態様は、データトラフィックの第１のタイプに関連付けられた第１のサービス品質要件を判断することと、制御チャネルリソースセットの第１のグループ化を含む第１の制御チャネルリソースセットグループを構成することとに関し、この構成することは、第１のサービス品質要件を満たすリソース要素グループを選択することを含む。態様は、データトラフィックの第２のタイプに関連付けられた第２のサービス品質要件を判断することと、制御チャネルリソースセットの第２のグループ化を含む第２の制御チャネルリソースセットグループを構成することとを含み、この構成することは、第２のサービス品質要件を満たすリソース要素グループを選択することを含む。他の態様は、データトラフィックの第１のタイプ又はデータトラフィックの第２のタイプのいずれがユーザー機器に通信されるべきかに基づいて、第１の制御チャネルリソースセットグループ又は第２の制御チャネルリソースセットグループを用いるようにユーザー機器に命令することを含む。
【００５１】
態様は、データトラフィックの第３のタイプに関連付けられた第３のサービス品質要件を判断することと、制御チャネルリソースセットの第３のグループ化を含む第３の制御チャネルリソースセットグループを構成することとを含むことができ、この構成することは、第３のサービス品質要件を満たすリソース要素グループを選択することを含む。第１の制御チャネルリソースセットグループを構成することは、拡張モバイルブロードバンドサービス品質要件を満たすことに基づくことができ、第２の制御チャネルリソースセットグループを構成することは、超高信頼低遅延通信サービス品質要件を満たすことに基づくことができ、第３の制御チャネルリソースセットグループを構成することは、マッシブマシンタイプ通信サービス品質要件を満たすことに基づくことができる。
【００５２】
ここで図９を参照すると、本明細書において説明される１つ以上の実施形態による、無線通信を容易にするシステムアーキテクチャにおいて関与するように動作可能な一例示のモバイルハンドセット９００の一例示のブロック図が示されている。モバイルハンドセットが本明細書で示されているが、他のデバイスがモバイルデバイスであり得ること、及び、モバイルハンドセットが、本明細書に述べる種々の実施形態のうちの実施形態についての状況を提供するために示されているにすぎないことが理解されるであろう。以下の議論は、種々の実施形態がそこで実装され得る、適した環境の例についての簡潔な一般的説明を提供することを意図している。説明は、機械可読記憶媒体上で具現化されるコンピューター実行可能命令の一般的な状況を含むが、革新が、他のプログラムモジュールと組み合わせて及び／又はハードウェア及びソフトウェアの組み合わせとしても実装され得ることを当業者は認識するであろう。
【００５３】
一般に、アプリケーション（例えば、プログラムモジュール）は、特定のタスクを実施するか又は特定の抽象データタイプを実装する、ルーチン、プログラム、構成要素、データ構造等を含み得る。さらに、本明細書で述べる方法が、他のシステム構成であって、それぞれが、１つ以上の関連するデバイスに動作可能に結合され得る、シングルプロセッサ又はマルチプロセッサシステム、ミニコンピューター、メインフレームコンピューター、並びに、パーソナルコンピューター、ハンドヘルドコンピューティングデバイス、マイクロプロセッサベース又はプログラマブル消費者向け電子機器等を備える、他のシステム構成によって実施され得ることを当業者は理解するであろう。
【００５４】
コンピューティングデバイスは、通常、種々の機械可読媒体を含み得る。機械可読媒体は、コンピューターによってアクセスされ得る任意の入手可能な媒体である可能性があり、揮発性及び不揮発性媒体、取外し可能及び取外し不能媒体の両方を備える。限定としてではなく例として、コンピューター可読媒体は、コンピューター記憶媒体及び通信媒体を含み得る。コンピューター記憶媒体は、コンピューター可読命令、データ構造、プログラムモジュール、又は他のデータ等の情報を記憶するための任意の方法又は技術で実装される、揮発性及び／又は不揮発性媒体、取外し可能及び／又は取外し不能媒体を含み得る。コンピューター記憶媒体は、ＲＡＭ、ＲＯＭ、ＥＥＰＲＯＭ、フラッシュメモリ若しくは他のメモリ技術、ソリッドステートドライブ（ＳＳＤ）若しくは他のソリッドステートストレージ技術、コンパクトディスクリードオンリーメモリ（ＣＤ  ＲＯＭ）、デジタルビデオディスク（ＤＶＤ）、Ｂｌｕ−ｒａｙ（登録商標）ディスク、若しくは他の光ディスクストレージ、磁気カセット、磁気テープ、磁気ディスクストレージ若しくは他の磁気記憶デバイス、又は、所望の情報を記憶するために使用することができ、かつ、コンピューターによってアクセスされ得る任意の他の媒体を含み得るが、それに限定されない。これに関連して、本明細書においてストレージ、メモリ又はコンピューター可読媒体に適用されるような「有形」又は「非一時的」という用語は、修飾語として単に伝搬するだけの一時的信号それ自体を除外するものと理解されるべきであり、単に伝搬するだけの一時的信号それ自体ではない全ての標準的なストレージ、メモリ又はコンピューター可読媒体に対する権利を放棄するものではない。
【００５５】
通信媒体は、通常、搬送波又は他の搬送機構等の被変調データ信号内で、コンピューター可読命令、データ構造、プログラムモジュール、又は他のデータを具現化し、任意の情報送達媒体を備える。「被変調データ信号（modulated data signal）」という用語は、信号であって、その信号内に情報を符号化するように設定又は変更されたその特性のうちの１つ以上を有する、信号を意味する。限定としてではなく例として、通信媒体は、有線ネットワーク又は直結される接続等の有線媒体、並びに、音響、ＲＦ、赤外線、及び他の無線媒体等の無線媒体を含む。上記のうちの任意のものの組み合わせも、コンピューター可読媒体の範囲に含まれるべきである。
【００５６】
ハンドセットは、全てのオンボード動作及び機能を制御及び処理するためのプロセッサ９０２を備える。メモリ９０４は、データ及び１つ以上のアプリケーション９０６（例えば、ビデオプレイヤーソフトウェア、ユーザーフィードバック構成要素ソフトウェア等）を記憶するためにプロセッサ９０２にインターフェースする。他のアプリケーションは、ユーザーフィードバック信号の始動を容易にする所定の音声コマンドの音声認識を含み得る。アプリケーション９０６は、メモリ９０４及び／又はファームウェア９０８に記憶され、メモリ９０４及び／又はファームウェア９０８のいずれか又は両方からプロセッサ９０２によって実行され得る。ファームウェア９０８は、ハンドセット９００を初期化するときに実行するためのスタートアップコードも記憶し得る。通信構成要素９１０は、外部システム、例えば、セルラーネットワーク、ＶｏＩＰネットワーク等との有線／無線通信を容易にするためにプロセッサ９０２にインターフェースする。ここで、通信構成要素９１０は、対応する信号通信のために、適したセルラートランシーバー９１１（例えば、ＧＳＭトランシーバー）及び／又は免許不要トランシーバー９１３（例えば、Ｗｉ−Ｆｉ、ＷｉＭａｘ）も含み得る。ハンドセット９００は、セルラーフォン、モバイル通信能力を有するＰＤＡ、及びメッセージングセントリックデバイス等のデバイスであり得る。また、通信構成要素９１０は、地上無線ネットワーク（例えば、ブロードキャスト）、デジタル衛星無線ネットワーク、及びインターネットベース無線サービスネットワークからの通信受信を容易にする。
【００５７】
ハンドセット９００は、テキスト、画像、ビデオ、電話機能（例えば、呼出し側ＩＤ機能）、セットアップ機能を表示するための、また、ユーザー入力のためのディスプレイ９１２を備える。例えば、ディスプレイ９１２は、マルチメディアコンテンツ（例えば、音楽メタデータ、メッセージ、壁紙、グラフィックス等）の提示を収容し得る「スクリーン（screen）」とも呼ばれ得る。ディスプレイ９１２は、ビデオも表示することができ、ビデオクオート（video quote）の生成、編集、及び共有を容易にし得る。シリアルＩ／Ｏインターフェース９１４は、プロセッサ９０２と通信状態で設けられて、ハードワイヤ接続及び他のシリアル入力デバイス（例えば、キーボード、キーパッド、及びマウス）を通した有線及び／又は無線シリアル通信（例えば、ＵＳＢ及び／又はＩＥＥＥ  １３９４）を容易にする。これは、例えば、ハンドセット９００を更新すること及びトラブルシューティングすることをサポートする。オーディオ能力は、オーディオＩ／Ｏ構成要素９１６によって提供され、オーディオＩ／Ｏ構成要素９１６は、例えば、ユーザーフィードバック信号を始動するために適切なキー又はキー組み合わせをユーザーが押したというインジケーションに関連するオーディオ信号を出力するためのスピーカーを含み得る。また、オーディオＩ／Ｏ構成要素９１６は、データ及び／又は電話音声データを記録するために、また、電話会話のための音声信号を入力するために、マイクロフォンを通したオーディオ信号の入力を容易にする。
【００５８】
ハンドセット９００は、カード型加入者識別モジュール（ＳＩＭ：Subscriber Identity Module）又はユニバーサルＳＩＭ９２０のフォームファクターのＳＩＣ（加入者識別構成要素（Subscriber Identity Component））を収容するための、また、ＳＩＭカード９２０をプロセッサ９０２にインターフェースするためのスロットインターフェース９１８を含み得る。しかし、ＳＩＭカード９２０がハンドセット９００に入るように製造され、データ及びソフトウェアをダウンロードすることによって更新され得ることが理解される。
【００５９】
ハンドセット９００は、通信構成要素９１０を通してＩＰデータトラフィックを処理して、ＩＳＰ又はブロードバンドケーブルプロバイダーを通して、例えば、インターネット、企業イントラネット、ホームネットワーク、パーソナルエリアネットワーク等のようなＩＰネットワークからＩＰトラフィックを収容し得る。そのため、ＶｏＩＰトラフィックは、ハンドセット９００によって利用することができ、ＩＰベースマルチメディアコンテンツは、符号化フォーマット又は復号フォーマットで受信され得る。
【００６０】
ビデオ処理構成要素９２２（例えば、カメラ）は、符号化されたマルチメディアコンテンツを復号するために設けられ得る。ビデオ処理構成要素９２２は、ビデオクオートの生成、編集、及び共有を容易にするのを支援し得る。ハンドセット９００は、電池及び／又はＡＣ電力サブシステムの形態の電力源９２４も備え、その電力源９２４は、電力Ｉ／Ｏ構成要素９２６によって外部電力システム又は充電機器（図示せず）にインターフェースし得る。
【００６１】
ハンドセット９００は、受信されたビデオコンテンツを処理し、ビデオコンテンツを記録及び送信するためのビデオ構成要素９３０も含み得る。例えば、ビデオ構成要素９３０は、ビデオクオートの生成、編集、及び共有を容易にし得る。ロケーショントラッキング構成要素９３２は、ハンドセット９００を地理的に位置特定することを容易にする。上記で述べたように、これは、ユーザーがフィードバック信号を自動的に又は手動で始動するときに起こり得る。ユーザー入力構成要素９３４は、ユーザーが品質フィードバック信号を始動することを容易にする。ユーザー入力構成要素９３４も、ビデオクオートの生成、編集、及び共有を容易にし得る。ユーザー入力構成要素９３４は、例えば、キーパッド、キーボード、マウス、スタイラスペン、及び／又は、タッチスクリーン等のこうした従来の入力デバイス技術を含み得る。
【００６２】
再度アプリケーション９０６を参照すると、ヒステリシス構成要素９３６は、アクセスポイントに関連付けるときを決定するために利用されるヒステリシスデータの解析及び処理を容易にする。Ｗｉ−Ｆｉトランシーバー９１３がアクセスポイントのビーコンを検出するとヒステリシス構成要素９３６のトリガリングを容易にするソフトウェアトリガー構成要素９３８が設けられ得る。ＳＩＰクライアント９４０は、ハンドセット９００が、ＳＩＰプロトコルをサポートし、ＳＩＰレジスターサーバーに加入者を登録することを可能にする。アプリケーション９０６は、マルチメディアコンテンツ、例えば、音楽の、少なくとも発見、再生、及び記憶の能力を提供するクライアント９４２も含み得る。
【００６３】
ハンドセット９００は、通信構成要素９１０に関連して上記で示したように、室内ネットワーク無線トランシーバー９１３（例えば、Ｗｉ−Ｆｉトランシーバー）を備える。この機能は、デュアルモードＧＳＭハンドセット９００についてＩＥＥＥ  ８０２．１１等の室内無線リンクをサポートする。ハンドセット９００は、無線音声及びデジタル無線チップセットを組み合わせて単一ハンドヘルドデバイスにし得るハンドセットを通して少なくとも衛星無線サービスを収容し得る。
【００６４】
ここで図１０を参照すると、本明細書において説明される１つ以上の実施形態による、無線通信を容易にするシステムアーキテクチャにおいて関与するように動作可能な一例示のコンピューター１０００の一例示のブロック図が示されている。コンピューター１０００は、有線又は無線通信ネットワークと、サーバー（例えば、Microsoft社のサーバー）及び／又は通信デバイスとの間のネットワーク接続及び通信能力を提供し得る。その種々の態様について更なる状況を提供するために、図１０及び以下の議論は、革新の種々の態様が実装されて、エンティティと第３者との間のトランザクションの確立を容易にし得る、適したコンピューティング環境の簡潔な一般的説明を提供することを意図している。上記説明は、１つ以上のコンピューター上で実行され得るコンピューター実行可能命令の一般的な状況内にあるが、革新が、他のプログラムモジュールと組み合わせて及び／又はハードウェア及びソフトウェアの組み合わせとしても実装され得ることを当業者は認識するであろう。
【００６５】
一般に、プログラムモジュールは、特定のタスクを実施する又は特定の抽象データタイプを実装する、ルーチン、プログラム、構成要素、データ構造等を含む。さらに、本発明の方法が、他のコンピューターシステム構成であって、それぞれが、１つ以上の関連するデバイスに動作可能に結合され得る、シングルプロセッサ又はマルチプロセッサコンピューターシステム、ミニコンピューター、メインフレームコンピューター、及び、パーソナルコンピューター、ハンドヘルドコンピューティングデバイス、マイクロプロセッサベース又はプログラマブル消費者向け電子機器等を備える、他のコンピューターシステム構成によって実施され得ることを当業者は理解するであろう。
【００６６】
革新の例示される態様は、或る特定のタスクが通信ネットワークを通してリンクされるリモート処理デバイスによって実行される分散型コンピューティング環境において実施することもできる。分散型コンピューティング環境では、プログラムモジュールをローカルメモリ記憶デバイス及びリモートメモリ記憶デバイス内の両方に配置することができる。
【００６７】
コンピューティングデバイスは通常、種々の媒体を含み、それらの媒体はコンピューター可読記憶媒体又は通信媒体を含むことができ、その２つの用語は、以下のように、本明細書において互いに異なるように使用される。
【００６８】
コンピューター可読記憶媒体は、コンピューターによってアクセスすることができる任意の入手可能な記憶媒体とすることができ、揮発性及び不揮発性媒体、取外し可能及び取外し不能媒体の両方を含む。例であって、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、限定はしないが、ＲＡＭ、ＲＯＭ、ＥＥＰＲＯＭ、フラッシュメモリ若しくは他のメモリ技術、ＣＤ−ＲＯＭ、デジタルバーサタイルディスク（ＤＶＤ）若しくは他の光ディスクストレージ、磁気カセット、磁気テープ、磁気ディスクストレージ若しくは他の磁気記憶デバイス、又は所望の情報を記憶するために用いることができる他の有形及び／又は非一時的媒体を含むことができる。コンピューター可読記憶媒体は、媒体によって記憶される情報に関する種々の動作のために、例えば、アクセス要求、問い合わせ又は他のデータ検索プロトコルを介して、１つ以上のローカル若しくはリモートコンピューティングデバイスによってアクセスすることができる。
【００６９】
通信媒体は、被変調データ信号、例えば、搬送波又は他の搬送機構等のデータ信号において、コンピューター可読命令、データ構造、プログラムモジュール又は他の構造化若しくは非構造化データを具現することができ、任意の情報送達又は搬送媒体を含む。「被変調データ信号」又は信号という用語は、１つ以上の信号内に情報を符号化するように設定又は変更される特性のうちの１つ以上を有する信号を指している。例であって、限定はしないが、通信媒体は、有線ネットワーク又は直結される接続等の有線媒体、並びに、音響、ＲＦ、赤外線及び他の無線媒体等の無線媒体を含む。
【００７０】
本明細書において説明される技術は、プログラム及びプロセスを実行することが可能である任意のデバイス又はデバイス（機械）のセットに適用することができる。したがって、物理及び／又は仮想機械、パーソナルコンピューター、ラップトップ、ハンドヘルドデバイス、ポータブルデバイス及び他のコンピューティングデバイスを含むサーバー、及び、携帯電話、タブレット／スレートコンピューター、ゲーミング／エンターテイメントコンソール等を含む全ての種類のコンピューティングオブジェクトが、本明細書において例示化される実施態様を含む種々の実施態様に関連した使用のために想定されることを理解することができる。したがって、図１０を参照して以下で説明される汎用コンピューティングメカニズムは、コンピューティングデバイスの１つの例にすぎない。
【００７１】
開示された主題の様々な態様の状況を提供するために、図１０及び以下の論述は、開示された主題の様々な態様を実施することができる、適した環境の簡潔な一般的説明を提供することを意図している。本主題は、単数及び／又は複数のコンピューター上で動作するコンピュータープログラムのコンピューター実行可能命令の一般的な状況において上記で説明されているが、当業者であれば、開示された主題は、他のプログラムモジュールと組み合わせて実施することもできることを認識するであろう。一般に、プログラムモジュールは、特定のタスクを実行し及び／又は特定の抽象データタイプを実施するルーチン、プログラム、構成要素、データ構造体等を含む。
【００７２】
本明細書において、「ストア」、「ストレージ」、「データストア」、「データストレージ」、「データベース」という用語、並びに構成要素の動作及び機能に関連する実質的に任意の他の情報記憶構成要素は、「メモリ構成要素」、「メモリ」において具現化されるエンティティ又はメモリを備える構成要素を指している。本明細書に説明するメモリ構成要素は、揮発性メモリ又は不揮発性メモリのいずれかとすることもできるし、揮発性メモリ及び不揮発性メモリの双方を含むこともでき、限定ではなく例示として、揮発性メモリ１０２０（以下参照）、不揮発性メモリ１０２２（以下参照）、ディスクストレージ１０２４（以下参照）、及びメモリストレージ１０４６（以下参照）を含むことができることが理解されるだろう。さらに、不揮発性メモリには、リードオンリーメモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、又はフラッシュメモリを含めることができる。揮発性メモリは、外部キャッシュメモリとして機能するランダムアクセスメモリ（ＲＡＭ）を含むことができる。限定ではなく例示として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、同期リンクＤＲＡＭ（ＳＬＤＲＡＭ）、及びダイレクトラムバスＲＡＭ（ＤＲＲＡＭ）等の多くの形態で入手可能である。加えて、本明細書におけるシステム又は方法の開示されたメモリ構成要素は、限定するものではないが、これらのタイプのメモリ及び他の任意の適したタイプのメモリを含むことを意図している。
【００７３】
その上、開示された主題は、他のコンピューターシステム構成を用いて実施することができることに留意されたい。これらのコンピューターシステム構成には、シングルプロセッサコンピューターシステム又はマルチプロセッサコンピューターシステム、ミニコンピューティングデバイス、メインフレームコンピューターに加えて、パーソナルコンピューター、ハンドヘルドコンピューティングデバイス（例えば、ＰＤＡ、電話機、腕時計、タブレットコンピューター、ネットブックコンピューター、．．．）、マイクロプロセッサベースの電子機器又はプログラマブル消費者向け電子機器若しくはプログラマブル産業用電子機器等が含まれる。例示した態様は、タスクが、通信ネットワークを通じてリンクされたリモート処理デバイスによって実行される分散型コンピューティング環境においても実施することができる。ただし、本主題の開示の全てではないにしてもいくつかの態様は、スタンドアローンコンピューター上で実施することができる。分散型コンピューティング環境では、プログラムモジュールは、ローカルメモリ記憶デバイス及びリモートメモリ記憶デバイスの双方に配置することができる。
【００７４】
図１０は、一実施形態による開示されるシステム及び方法を実行するように動作可能なコンピューティングシステム１０００のブロック図を示している。例えばシステム１０２０のハードウェアの一部とすることができるコンピューター１０１２は、処理ユニット１０１４、システムメモリ１０１６、及びシステムバス１０１８を備える。システムバス１０１８は、これに限定されるものではないがシステムメモリ１０１６を含むシステム構成要素を処理ユニット１０１４に結合する。処理ユニット１０１４は、様々な入手可能プロセッサのうちの任意のものとすることができる。デュアルマイクロプロセッサ及び他のマルチプロセッサアーキテクチャも処理ユニット１０１４として用いることができる。
【００７５】
システムバス１０１８は、任意の様々な利用可能なバスアーキテクチャを用いたメモリバス若しくはメモリコントローラー、周辺バス若しくは外部バス、及び／又はローカルバスを含むバス構造（複数の場合もある）のいくつかのタイプのうちの任意のものとすることができる。バスアーキテクチャは、産業標準アーキテクチャ（ＩＳＡ）、マイクロチャネルアーキテクチャ（ＭＳＡ）、拡張ＩＳＡ（ＥＩＳＡ）、インテリジェントドライブエレクトロニクス、ＶＥＳＡローカルバス（ＶＬＢ）、周辺機器相互接続（ＰＣＩ）、カードバス、ユニバーサルシリアルバス（ＵＳＢ）、アドバンストグラフィックスポート（ＡＧＰ）、パーソナルコンピューターメモリカード国際協会バス（ＰＣＭＣＩＡ）、Ｆｉｒｅｗｉｒｅ（ＩＥＥＥ  １０９４）、及びスモールコンピューターシステムインターフェース（ＳＣＩＳ）を含むが、これらに限定されるものではない。
【００７６】
システムメモリ１０１６は、揮発性メモリ１０２０及び不揮発性メモリ１０２２を備えることができる。起動中等にコンピューター１０１２内の要素間で情報を転送するルーチンを含む基本入出力システム（ＢＩＯＳ）は、不揮発性メモリ１０２２に記憶することができる。限定ではなく例示として、不揮発性メモリ１０２２は、ＲＯＭ、ＰＲＯＭ、ＥＰＲＯＭ、ＥＥＰＲＯＭ、又はフラッシュメモリを含むことができる。揮発性メモリ１０２０は、外部キャッシュメモリとして機能するＲＡＭを含む。限定ではなく例示として、ＲＡＭは、ＳＲＡＭ、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、同期リンクＤＲＡＭ（ＳＬＤＲＡＭ）、ラムバスダイレクトＲＡＭ（ＲＤＲＡＭ）、ダイレクトラムバスダイナミックＲＡＭ（ＤＲＤＲＡＭ）、及びラムバスダイナミックＲＡＭ（ＲＤＲＡＭ）等の多くの形態で入手可能である。
【００７７】
コンピューター１０１２は、取外し可能／取外し不能の揮発性／不揮発性コンピューター記憶媒体も備えることができる。図１０は、例えば、ディスクストレージ１０２４を示している。ディスクストレージ１０２４は、磁気ディスクドライブ、フロッピーディスクドライブ、テープドライブ、フラッシュメモリカード、又はメモリスティックのようなデバイスを含むが、これらに限定されるものではない。加えて、ディスクストレージ１０２４は、記憶媒体を単独で又は他の記憶媒体と組み合わせて含むことができる。他の記憶媒体は、コンパクトディスクＲＯＭデバイス（ＣＤ−ＲＯＭ）、ＣＤ記録可能ドライブ（ＣＤ−Ｒドライブ）、ＣＤ再書き込み可能ドライブ（ＣＤ−ＲＷドライブ）又はデジタルバーサタイルディスクＲＯＭドライブ（ＤＶＤ−ＲＯＭ）等の光ディスクドライブを含むが、これらに限定されるものではない。システムバス１０１８へのディスク記憶デバイス１０２４の接続を容易にするために、インターフェース１０２６等の取外し可能又は取外し不能のインターフェースが通常用いられる。
【００７８】
コンピューティングデバイスは通常、種々の媒体を含み、それらの媒体はコンピューター可読記憶媒体又は通信媒体を含むことができ、その２つの用語は、以下のように、本明細書において互いに異なるように使用される。
【００７９】
コンピューター可読記憶媒体は、コンピューターによってアクセスすることができる任意の入手可能な記憶媒体とすることができ、揮発性及び不揮発性媒体、取外し可能及び取外し不能媒体の両方を含む。例であって、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、限定はしないが、ランダムアクセスメモリ（ＲＡＭ）、リードオンリーメモリ（ＲＯＭ）、電気的消去可能プログラマブルリードオンリーメモリ（ＥＥＰＲＯＭ）、フラッシュメモリ若しくは他のメモリ技術、ソリッドステートドライブ（ＳＳＤ）若しくは他のソリッドステートストレージ技術、コンパクトディスクリードオンリーメモリ（ＣＤ  ＲＯＭ）、デジタルバーサタイルディスク（ＤＶＤ）、Ｂｌｕ−ｒａｙ（登録商標）ディスク若しくは他の光ディスクストレージ、磁気カセット、磁気テープ、磁気ディスクストレージ若しくは他の磁気記憶デバイス、又は所望の情報を記憶するために使用することができる他の有形及び／又は非一時的媒体を含むことができる。これに関連して、本明細書においてストレージ、メモリ又はコンピューター可読媒体に適用されるような「有形」又は「非一時的」という用語は、修飾語として単に伝搬するだけの一時的信号それ自体を除外するものと理解されるべきであり、単に伝搬するだけの一時的信号それ自体ではない全ての標準的なストレージ、メモリ又はコンピューター可読媒体に対する権利を放棄するものではない。一態様では、有形媒体は、非一時的媒体を含むことができ、ここで、本明細書においてストレージ、メモリ、又はコンピューター可読媒体に適用することができるような「非一時的」という用語は、修飾語として、単に伝播する一時的信号それ自体を除外するように理解されるものであり、単に伝播する一時的信号それ自体ではない全ての標準的なストレージ、メモリ又はコンピューター可読媒体の包含範囲を放棄しない。疑念を回避するために、「コンピューター可読記憶デバイス」という用語は、本明細書において一時的媒体を除外するように用いられるとともに定義される。コンピューター可読記憶媒体は、媒体によって記憶される情報に関する種々の動作のために、例えば、アクセス要求、問い合わせ又は他のデータ検索プロトコルを介して、１つ以上のローカル若しくはリモートコンピューティングデバイスによってアクセスすることができる。
【００８０】
通信媒体は通常、被変調データ信号、例えば、搬送波又は他の搬送機構等のデータ信号において、コンピューター可読命令、データ構造、プログラムモジュール又は他の構造化若しくは非構造化データを具現化し、任意の情報送達又は搬送媒体を含む。「被変調データ信号」又は信号という用語は、１つ以上の信号内に情報を符号化するように設定又は変更される特性のうちの１つ以上を有する信号を指している。例であって、限定はしないが、通信媒体は、有線ネットワーク又は直結される接続等の有線媒体、並びに、音響、ＲＦ、赤外線及び他の無線媒体等の無線媒体を含む。
【００８１】
図１０は、ユーザーと、適した動作環境１０００において表されたコンピューターリソースとの間の仲介として機能するソフトウェアを表していることに留意することができる。そのようなソフトウェアは、オペレーティングシステム１０２８を含む。ディスクストレージ１０２４に記憶することができるオペレーティングシステム１０２８は、コンピューターシステム１０１２のリソースを制御及び配分するように動作する。システムアプリケーション１０３０は、システムメモリ１０１６又はディスクストレージ１０２４のいずれかに記憶されたプログラムモジュール１０３２及びプログラムデータ１０３４を通じて、オペレーティングシステム１０２８によるリソースの管理を利用する。開示された主題は、様々なオペレーティングシステム又はオペレーティングシステムの組み合わせとともに実施することができることに留意されたい。
【００８２】
ユーザーは、入力デバイス（複数の場合もある）１０３６を通じてコンピューター１０１２にコマンド又は情報を入力することができる。一例として、モバイルデバイス及び／又はポータブルデバイスは、ユーザーがコンピューター１０１２とインタラクトすることを可能にするタッチセンシティブディスプレイパネルにおいて具現化されるユーザーインターフェースを含むことができる。入力デバイス１０３６は、マウス、トラックボール、スタイラス等のポインティングデバイス、タッチパッド、キーボード、マイク、ジョイスティック、ゲームパッド、サテライトディッシュ、スキャナー、ＴＶチューナーカード、デジタルカメラ、デジタルビデオカメラ、ウェブカメラ、携帯電話、スマートフォン、タブレットコンピューター等を含むが、これらに限定されるものではない。これらの入力デバイス及び他の入力デバイスは、インターフェースポート（複数の場合もある）１０３８を経由してシステムバス１０１８を通って処理ユニット１０１４に接続する。インターフェースポート（複数の場合もある）１０３８は、例えば、無線サービス等に関連したシリアルポート、パラレルポート、ゲームポート、ユニバーサルシリアルバス（ＵＳＢ）、赤外線ポート、Ｂｌｕｅｔｏｏｔｈポート、ＩＰポート、又は論理ポートを含む。出力デバイス（複数の場合もある）１０４０及び移動は、入力デバイス（複数の場合もある）１０３６と同じタイプのポートのうちのいくつかを用いる。
【００８３】
したがって、例えば、ＵＳＢポートは、コンピューター１０１２への入力を提供するとともに、コンピューター１０１２からの情報を出力デバイス１０４０に出力するのに用いることができる。出力デバイス１０４０の中でもとりわけ特殊なアダプターを用いるモニター、スピーカー、及びプリンターのようないくつかの出力デバイス１０４０が存在することを示すために、出力アダプター１０４２が設けられる。出力アダプター１０４２は、限定ではなく例示として、出力デバイス１０４０とシステムバス１０１８との間の接続手段を提供するビデオカード及びサウンドカードを含む。他のデバイス及び／又はデバイスのシステムは、リモートコンピューター（複数の場合もある）１０４４等の入力及び出力の双方の能力を提供することに留意されたい。
【００８４】
コンピューター１０１２は、リモートコンピューター（複数の場合もある）１０４４等の１つ以上のリモートコンピューターへの論理接続を用いてネットワーク接続環境において動作することができる。リモートコンピューター（複数の場合もある）１０４４は、パーソナルコンピューター、サーバー、ルーター、ネットワークＰＣ、クラウドストレージ、クラウドサービス、ワークステーション、マイクロプロセッサベース器具、ピアデバイス、又は他の一般的なネットワークノード等とすることができ、通常、コンピューター１０１２に関して説明した要素の多く又は全てを備える。
【００８５】
簡略にするために、メモリ記憶デバイス１０４６のみがリモートコンピューター（複数の場合もある）１０４４とともに示されている。リモートコンピューター（複数の場合もある）１０４４は、ネットワークインターフェース１０４８を通じてコンピューター１０１２に論理的に接続され、さらに、通信接続１０５０を経由して物理的に接続される。ネットワークインターフェース１０４８は、ローカルエリアネットワーク（ＬＡＮ）及びワイドエリアネットワーク（ＷＡＮ）等の有線通信ネットワーク及び／又は無線通信ネットワークを包含する。ＬＡＮ技術は、ファイバー分散データインターフェース（ＦＤＤＩ）、銅分散データインターフェース（ＣＤＤＩ）、Ｅｔｈｅｒｎｅｔ、トークンリング等を含む。ＷＡＮ技術は、ポイントツーポイントリンク、サービス統合デジタルネットワーク（ＩＳＤＮ）及びそれらの変形形態のような回線交換ネットワーク、パケット交換ネットワーク、並びにデジタル加入者線（ＤＳＬ）を含むが、これらに限定されるものではない。以下で言及するように、無線技術は、上記のものに加えて又は上記のものに代えて用いることができる。
【００８６】
通信接続（複数の場合もある）１０５０は、ネットワークインターフェース１０４８をバス１０１８に接続するのに用いられるハードウェア／ソフトウェアを指す。通信接続１０５０は、説明を明瞭にするためにコンピューター１０１２の内部に示されているが、コンピューター１０１２の外部にすることもできる。ネットワークインターフェース１０４８への接続用のハードウェア／ソフトウェアは、例えば、正規電話グレードモデム、ケーブルモデム及びＤＳＬモデムを含むモデム、ＩＳＤＮアダプター、並びにＥｔｈｅｒｎｅｔカード等の内部技術及び外部技術を含むことができる。
【００８７】
要約書において記述されることを含む、本開示の例示される実施形態の上記の記述は、網羅的に述べることを意図するものではなく、開示される実施形態を開示されるのと全く同じ形態に限定することを意図するものでもない。例示のために、本明細書において具体的な実施形態及び例が記述されるが、当業者が認識できるような、そのような実施形態及び例の範囲内で考えられる種々の変更が可能である。
【００８８】
この関連で、開示される主題は種々の実施形態及び対応する図に関連して記述されてきたが、適用可能な場合には、開示される主題から逸脱することなく、他の類似の実施形態を用いることができるか、又は開示される主題の同じ機能、類似の機能、代替機能又は代用機能を実行するために記述される実施形態に対して変更を加えること及び追加することができることは理解されたい。それゆえ、開示される主題は、本明細書において記述される任意の単一の実施形態に限定されるべきではなく、以下に添付の特許請求の範囲による広さ及び範囲内で解釈されるべきである。
【００８９】
本主題の明細書に用いられるような「プロセッサ」という用語は、シングルコアプロセッサ、ソフトウェアマルチスレッド実行能力を有するシングルプロセッサ、マルチコアプロセッサ、ソフトウェアマルチスレッド実行能力を有するマルチコアプロセッサ、ハードウェアマルチスレッド技術を有するマルチコアプロセッサ、パラレルプラットフォーム、及び分散共有メモリを有するパラレルプラットフォームを含むがこれらに限定されない、実質的に任意のコンピューティング処理ユニット又はデバイスを指すことができる。加えて、プロセッサは、本明細書に説明した機能を実行するように設計された集積回路、特定用途向け集積回路（ＡＳＩＣ）、デジタル信号プロセッサ（ＤＳＰ）、フィールドプログラマブルゲートアレイ（ＦＰＧＡ）、プログラマブルロジックコントローラー（ＰＬＣ）、コンプレックスプログラマブルロジックデバイス（ＣＰＬＤ）、離散ゲート若しくはトランジスタロジック、離散ハードウェア構成要素、又はそれらの任意の組み合わせを指すことができる。プロセッサは、空間利用の最適化又はユーザー機器の性能向上を図るために、分子及び量子ドットに基づくトランジスタ、スイッチ及びゲート等であるがこれらに限定されないナノスケールアーキテクチャを利用することができる。プロセッサは、コンピューティング処理ユニットの組み合わせとしても実施することができる。
【００９０】
本明細書において、「ストア」、「ストレージ」、「データストア」、「データストレージ」、「データベース」、という用語、並びに構成要素の動作及び機能に関連する実質的に任意の他の情報記憶構成要素は、「メモリ構成要素」、「メモリ」において具現化されるエンティティ又はメモリを備える構成要素を指している。本明細書に説明するメモリ構成要素は、揮発性メモリ又は不揮発性メモリのいずれかとすることもできるし、揮発性メモリ及び不揮発性メモリの双方を含むこともできる。
【００９１】
本出願に用いられるような「構成要素」、「システム」、「プラットフォーム」、「レイヤ」、「セレクター」、「インターフェース」等の用語は、１つ以上の特定の機能を有するコンピューター関連エンティティ又は作動装置に関連したエンティティを指すように意図され、このエンティティは、ハードウェア、ハードウェア及びソフトウェアの組み合わせ、ソフトウェア、又は実行中のソフトウェアのいずれかとすることができる。一例として、構成要素は、プロセッサ上で実行されるプロセス、プロセッサ、オブジェクト、実行ファイル、実行スレッド、プログラム、及び／又はコンピューターであり得るが、それに限定されない。例証として、限定はしないが、サーバー上で実行されるアプリケーション及びサーバーの双方が構成要素であり得る。１つ以上の構成要素は、プロセス及び／又は実行スレッド内に常駐することができ、構成要素は、１つのコンピューター上に位置し得る及び／又は２つ以上のコンピューターの間に分散し得る。加えて、これらの構成要素は、種々のデータ構造がその上に記憶されている種々のコンピューター可読媒体、デバイス可読ストレージデバイス、又は機械可読媒体からも実行され得る。構成要素は、１つ以上のデータパケット（例えば、ローカルシステム内で、分散システム内で、及び／又は、信号による他のシステムに関するインターネット等のネットワークにわたって別の構成要素と相互作用する１つの構成要素からのデータ）を含む信号に従って等で、ローカル及び／又はリモートプロセスを介して通信し得る。別の例として、構成要素は、プロセッサによって実行されるソフトウェア又はファームウェアアプリケーションによって動作する電気又は電子回路要素によって動作する機械部品によって提供される特定の機能を有する装置であり得る。ここで、プロセッサは、装置の内部又は外部にある可能性があり、ソフトウェア又はファームウェアアプリケーションの少なくとも一部を実行する。更なる別の例として、構成要素は、機械部品なしで電子構成要素を通して特定の機能を提供する装置であり得る。その電子構成要素は、電子構成要素の機能を少なくとも部分的に与えるソフトウェア又はファームウェアを実行するために内部にプロセッサを備え得る。
【００９２】
加えて、「又は」という用語は、排他的な「又は」ではなく、包含的な「又は」を意味することを意図している。すなわち、別段の指示がない限り、又は文脈において明らかでない限り、「ＸがＡ又はＢを利用する」は、自然な包含的置換のいずれかを意味することを意図している。すなわち、ＸがＡを利用する、ＸがＢを利用する、又はＸがＡ及びＢの両方を利用する場合には、上記の事例のうちのいずれのもとにおいても、「Ｘが、Ａ又はＢを利用する」が満たされる。さらに、本主題の明細書及び添付の図面において用いられる冠詞「一（"a" and "an"）」は、一般に、別段の指示がない限り又は単数形を対象とすることが文脈から明らかでない限り、「１つ以上」を意味すると解釈されるべきである。
【００９３】
その上、「ユーザー機器（ＵＥ）」、「モバイル局」、「モバイル加入者局」、「加入者機器」、「アクセス端末」、「端末」、「ハンドセット」のような用語及び類似の術語は、無線通信サービスの加入者又はユーザーが、データ、制御、音声、ビデオ、サウンド、ゲーミング、又は実質的に任意のデータストリーム若しくはシグナリングストリームを受信又は伝達するのに利用する無線デバイスを指す。上記用語は、本主題の明細書及び関連図面において同義で利用される。同様に、「アクセスポイント（ＡＰ）」、「基地局」、「ＮｏｄｅＢ」、「進化型ＮｏｄｅＢ（ｅＮｏｄｅＢ）」、「ホームＮｏｄｅＢ（ＨＮＢ）」、「ホームアクセスポイント（ＨＡＰ）」、「セルデバイス」、「セクター」、「セル」等の用語も、本主題の出願において同義で利用され、データ、制御、音声、ビデオ、サウンド、ゲーミング、又は実質的に任意のデータストリーム若しくはシグナリングストリームを一組の加入者局又はプロバイダー対応デバイスへ／から供給／受信する無線ネットワーク構成要素又は無線ネットワーク器具を指す。データストリーム及びシグナリングストリームは、パケット化されたフロー又はフレームベースのフローを含むことができる。
【００９４】
加えて、「コアネットワーク」、「コア」、「コアキャリアネットワーク」、「キャリア側」という用語又は類似の用語は、通常、アグリゲーション、認証、呼制御及びスイッチング、課金、サービス呼び出し、又はゲートウェイのうちのいくつか又は全てを提供する電気通信ネットワークの構成要素を指すことができる。アグリゲーションは、サービスプロバイダーネットワークにおける最高レベルのアグリゲーションを指すことができる。コアノード下の階層における次のレベルは、分散ネットワークと、次にエッジネットワークである。ＵＥは、通常、大規模サービスプロバイダーのコアネットワークに直接接続せず、スイッチ又は無線エリアネットワークを経由してコアにルーティングすることができる。認証は、電気通信ネットワークにサービスを要求するユーザーがこのネットワーク内でサービスを要求する権限を有するか否かに関する判断を指すことができる。呼制御及びスイッチングは、呼信号処理に基づく、キャリア機器全体にわたる呼ストリームの今後の進路に関連した決定を指すことができる。課金は、様々なネットワークノードによって生成される課金データの照合及び処理に関するものとすることができる。今日のネットワークに見られる２つの一般的なタイプの課金メカニズムは、プリペイド課金及びポストペイド課金とすることができる。サービス呼び出しは、或る明示的な動作（例えば、呼転送）に基づいて行うこともできるし、暗黙的（例えば、呼待機）に行うこともできる。サービス「実行」は、サードパーティーネットワーク／ノードが実際のサービス実行に関与している場合があるので、コアネットワーク機能である場合もあるし、ない場合もあることに留意されたい。ゲートウェイは、他のネットワークにアクセスするためにコアネットワークに存在することができる。ゲートウェイ機能は、別のネットワークとのインターフェースのタイプに依存することができる。
【００９５】
さらに、「ユーザー」、「加入者」、「顧客（customer）」、「消費者（consumer）」、「生産消費者（prosumer）」、「代理業者（agent）」等の用語は、コンテキストが用語の間で特定の区別（複数の場合もある）を保証しない限り、本主題の明細書全体を通して同義で使用される。こうした用語が、人間エンティティ、又は、シミュレートされたビジョン、音認識等を提供し得る自動化構成要素（例えば、複雑な数学公式（complex mathematical formalisms）に基づいて推論する能力を通すように、人工知能を通してサポートされる）を指し得ることが理解されるべきである。
【００９６】
本主題の態様、特徴、又は利点を、実質的に任意の、又は任意の、有線、ブロードキャスト、無線電気通信、無線技術又はネットワーク、又はこれらの組み合わせにおいて活用することができる。このような技術又はネットワークの非限定的な例は、ジオキャスト技術、ブロードキャスト技術（例えば、サブＨｚ、ＥＬＦ、ＶＬＦ、ＬＦ、ＭＦ、ＨＦ、ＶＨＦ、ＵＨＦ、ＳＨＦ、ＴＨｚブロードキャスト等）、Ｅｔｈｅｒｎｅｔ、Ｘ．２５、電力線タイプネットワーク接続（例えば、電力線ＡＶ  Ｅｔｈｅｒｎｅｔ等）、フェムトセル技術、Ｗｉ−Ｆｉ、ワールドワイドインターオペラビリティフォーマイクロウェーブアクセス（ＷｉＭＡＸ：worldwide interoperability for microwave access）、拡張汎用パケット無線サービス（拡張ＧＰＲＳ）、第３世代パートナーシッププロジェクト（３ＧＰＰ又は３Ｇ）ロングタームエボリューション（ＬＴＥ）、３ＧＰＰユニバーサルモバイル電気通信システム（ＵＭＴＳ）又は３ＧＰＰ  ＵＭＴＳ、第３世代パートナーシッププロジェクト２（３ＧＰＰ２）ウルトラモバイルブロードバンド（ＵＭＢ）、高速パケットアクセス（ＨＳＰＡ）、高速ダウンリンクパケットアクセス（ＨＳＤＰＡ）、高速アップリンクパケットアクセス（ＨＳＵＰＡ）、ＧＳＭエボリューション用ＧＳＭ拡張データレート（ＥＤＧＥ）無線アクセスネットワーク（ＲＡＮ）又はＧＥＲＡＮ、ＵＭＴＳ地上無線アクセスネットワーク（ＵＴＲＡＮ）、又はＬＴＥアドバンストを含む。
【００９７】
上記で説明されたものには、開示される主題を例示するシステム及び方法の例が含まれる。当然、本明細書において構成要素又は方法の全ての組み合わせを説明することは可能ではない。当業者であれば、本開示の多くの更なる組み合わせ及び順列が可能であることを認識することができる。さらに、「含む、備える（includes）」、「有する（has）」、「所有する（possesses）」等の用語が詳細な説明、特許請求の範囲、付属書類及び図面において用いられる限り、これらのような用語は、「備える、含む（comprising）」が請求項内で移行語として利用される場合に解釈されるように「備える、含む（comprising）」という用語と同様に包括的であることが意図される。
【００９８】
種々の実施形態が種々の変更形態及び代替的な構成余地を有するものの、これらの或る特定の例示の実施態様が、図面において示されるとともに、上記で詳細に説明された。しかしながら、種々の実施形態を開示された特定の形式に限定する意図はなく、反対に、その意図は、種々の実施形態の趣旨及び範囲内に入る全ての変更形態、代替的な構成、及び均等物を包含するというものであることを理解すべきである。
【００９９】
本明細書において説明された種々の実施態様に加えて、対応する実施態様（複数の場合もある）の同じ機能又は均等な機能をそれらから逸脱することなく実行するために、他の類似の実施態様を用いることができるか、又は、説明された実施態様（複数の場合もある）に対して変更及び追加を行うことができることが理解される。またさらに、複数の処理チップ又は複数のデバイスが、本明細書において説明された１つ以上の機能の性能を共有することができ、同様に、ストレージを、複数のデバイスにわたって有効にさせることができる。したがって、本発明は、いずれの単一の実施態様にも限定されるのではなく、むしろ、添付の特許請求の範囲による広範な趣旨及び範囲内あるものと解釈される。
【図１】
2020530704.tif 000003
【図２】
2020530704.tif 000004
【図３】
2020530704.tif 000005
【図４】
2020530704.tif 000006
【図５】
2020530704.tif 000007
【図６】
2020530704.tif 000008
【図７】
2020530704.tif 000009
【図８】
2020530704.tif 000010
【図９】
2020530704.tif 000011
【図１０】
2020530704.tif 000012
【国際調査報告】
2020530704.tif 000013
2020530704.tif 000014